(57)【要約】【構成】複合端末１００は、移動通信回線１２およびＣＰＵ３２を含み、視聴予約番組の開始時刻に先立つ１分前に移動通信回路１２の接続が確立状態にあるとき、ＣＰＵ３２がお知らせアラーム出力を発生させる。ＣＰＵ３２は、視聴予約番組の開始時刻に先立つ１０秒前まで移動通信回路１２による接続が非確立状態にあるか否かを判別する。判別結果が肯定的であれば、ＣＰＵ３２は、操作キー３４によって受け付けた視聴予約番組の受信を放送番組受信回路１４に要求し、この要求処理に関連して受信された視聴予約番組をリアルタイムで出力する。判別結果が否定的であれば、ＣＰＵ３２は、操作キー３４によって受け付けた視聴予約番組の録画処理を実行する。【効果】通話相手と本人との関係を考慮した態様で予約番組を視聴することができる。【選択図】図２
2007274290.tif 000002
【特許請求の範囲】
【請求項１】
放送番組を受信する受信手段、
所望の放送番組の視聴予約を受け付ける受付手段、
通話接続操作が行われたとき所望の通話相手と接続する接続手段、
前記受付手段によって受け付けた視聴予約番組の開始時刻に先立つ第１時刻に前記接続手段の接続が確立状態にあるとき第１メッセージを発生する第１発生手段、
前記接続手段による接続が非確立状態にあるか否かを前記受付手段によって受け付けた視聴予約番組の開始時刻に先立ちかつ前記第１時刻に遅れる第２時刻に判別する判別手段、
前記判別手段の判別結果が肯定的であるとき前記受付手段によって受け付けた視聴予約番組の受信を前記受信手段に要求する要求手段、
前記要求手段の要求処理に関連して前記受信手段によって受信された視聴予約番組をリアルタイムで出力する出力手段、および
前記判別手段の判別結果が否定的であるとき前記受付手段によって受け付けた視聴予約番組の録画処理を実行する録画処理手段を備える、複合端末。
【請求項２】
前記第１発生手段は前記第１メッセージとして振動を発生させる、請求項１記載の複合端末。
【請求項３】
前記録画処理手段による録画処理の開始に関連して第２メッセージを発生する第２発生手段をさらに備える、請求項１または２記載の複合端末。
【請求項４】
放送番組を受信する受信手段、所望の放送番組の視聴予約を受け付ける受付手段、および通話接続操作が行われたとき所望の通話相手と接続する接続手段を備える複合端末のプロセサに、
前記受付手段によって受け付けた視聴予約番組の開始時刻に先立つ第１時刻に前記接続手段の接続が確立状態にあるとき第１メッセージを発生する発生ステップ、
前記接続手段による接続が非確立状態にあるか否かを前記受付手段によって受け付けた視聴予約番組の開始時刻に先立ちかつ前記第１時刻に遅れる第２時刻に判別する判別ステップ、
前記判別ステップの判別結果が肯定的であるとき前記受付手段によって受け付けた視聴予約番組の受信を前記受信手段に要求する要求ステップ、
前記要求ステップの要求処理に関連して前記受信手段によって受信された視聴予約番組をリアルタイムで出力する出力ステップ、および
前記判別ステップの判別結果が否定的であるとき前記受付手段によって受け付けた視聴予約番組の録画処理を実行する録画処理ステップを実行させための、番組受信プログラム。
【発明の詳細な説明】
【技術分野】
【０００１】
この発明は、複合端末に関し、特にたとえば、所望の放送番組を受信する番組受信機能と所望の相手と通話する通話機能とを有する、複合端末に関する。
【背景技術】
【０００２】
従来のこの種の装置の一例が、特許文献１に開示されている。この従来技術によれば、別の電話装置との通話中に視聴予約番組の開始時刻になると、通話中の電話装置との回線接続に代えてＴＶ番組録画サービスセンターとの回線接続が確立され、視聴予約番組の録画依頼がＴＶ番組録画サービスセンターに向けて発行される。通話中の電話装置との回線接続は、録画依頼の発行の後に再開される。これによって、視聴予約番組の見落としを防止することができる。
【特許文献１】特開２００５−５７４７５号公報[H04M 1/00,1/725,11/00, H04N 5/76,H04Q 7/38]
【発明の開示】
【発明が解決しようとする課題】
【０００３】
しかし、従来技術では、通話内容が重要ではなく、いつでも回線接続を遮断できる場合でも、視聴予約番組の開始時刻に通話中である限り、視聴予約番組の録画依頼がＴＶ番組録画サービスセンターに向けて発行される。つまり、従来技術では、通話相手と本人との関係を考慮することなく、録画依頼が発行される。
【０００４】
それゆえに、この発明の主たる目的は、通話相手と本人との関係を考慮した態様で番組を視聴することができる、複合端末を提供することである。
【課題を解決するための手段】
【０００５】
請求項１の発明に従う複合端末(100)は、放送番組を受信する受信手段(14)、所望の放送番組の視聴予約を受け付ける受付手段(34)、通話接続操作が行われたとき所望の通話相手と接続する接続手段(12)、受付手段によって受け付けた視聴予約番組の開始時刻に先立つ第１時刻に接続手段の接続が確立状態にあるとき第１メッセージを発生する第１発生手段(S15)、接続手段による接続が非確立状態にあるか否かを受付手段によって受け付けた視聴予約番組の開始時刻に先立ちかつ第１時刻に遅れる第２時刻に判別する判別手段(S17)、判別手段の判別結果が肯定的であるとき受付手段によって受け付けた視聴予約番組の受信を受信手段に要求する要求手段(S21)、要求手段の要求処理に関連して受信手段によって受信された視聴予約番組をリアルタイムで出力する出力手段(S23)、および判別手段の判別結果が否定的であるとき受付手段によって受け付けた視聴予約番組の録画処理を実行する録画処理手段(S25)を備える。
【０００６】
放送番組は、受信手段によって受信される。また、所望の放送番組の視聴予約は受付手段によって受け付けられる。接続手段は、通話接続操作が行われたとき所望の通話相手と接続する。第１メッセージは、受付手段によって受け付けた視聴予約番組の開始時刻に先立つ第１時刻に接続手段の接続が確立状態にあるとき、第１発生手段によって発生される。判別手段は、接続手段による接続が非確立状態にあるか否かを受付手段によって受け付けた視聴予約番組の開始時刻に先立ちかつ第１時刻に遅れる第２時刻に判別する。
【０００７】
要求手段は、判別手段の判別結果が肯定的であるとき、受付手段によって受け付けた視聴予約番組の受信を受信手段に要求する。要求手段の要求処理に関連して受信手段によって受信された視聴予約番組は、出力手段によってリアルタイムで出力される。判別手段の判別結果が否定的であれば、受付手段によって受け付けた視聴予約番組の録画処理が録画処理手段によって実行される。
【０００８】
したがって、第１メッセージが発生したときに通話を終了すれば、視聴予約番組の受信処理およびリアルタイム出力処理が実行される。これに対して、第１メッセージの発生に拘わらず通話を継続すれば、視聴予約番組の録画処理が実行される。この結果、通話相手と本人との関係を考慮した態様で予約番組を視聴することができる。
【０００９】
請求項２の発明に従う複合端末は、請求項１に従属し、第１発生手段は第１メッセージとして振動を発生させる。これによって、通話相手に不快感を与える事態を回避することができる。
【００１０】
請求項３の発明に従う複合端末は、請求項１または２に従属し、録画処理手段による録画処理の開始に関連して第２メッセージを発生する第２発生手段をさらに備える。これによって、録画が行われたことを通話中に確認することができる。
【００１１】
請求項４の発明に従う番組受信プログラムは、放送番組を受信する受信手段(14)、所望の放送番組の視聴予約を受け付ける受付手段(34)、および通話接続操作が行われたとき所望の通話相手と接続する接続手段を備える複合端末(100)のプロセサ(32)に、受付手段によって受け付けた視聴予約番組の開始時刻に先立つ第１時刻に接続手段の接続が確立状態にあるとき第１メッセージを発生する発生ステップ(S15)、接続手段による接続が非確立状態にあるか否かを受付手段によって受け付けた視聴予約番組の開始時刻に先立ちかつ第１時刻に遅れる第２時刻に判別する判別ステップ(S17)、判別ステップの判別結果が肯定的であるとき受付手段によって受け付けた視聴予約番組の受信を受信手段に要求する要求ステップ(S21)、要求ステップの要求処理に関連して受信手段によって受信された視聴予約番組をリアルタイムで出力する出力ステップ(S23)、および判別ステップの判別結果が否定的であるとき受付手段によって受け付けた視聴予約番組の録画処理を実行する録画処理ステップ(S25)を実行させるための、番組受信プログラムである。
【発明の効果】
【００１２】
この発明によれば、第１メッセージが発生したときに通話を終了すれば、視聴予約番組の受信処理およびリアルタイム出力処理が実行される。これに対して、第１メッセージの発生に拘わらず通話を継続すれば、視聴予約番組の録画処理が実行される。この結果、通話相手と本人との関係を考慮した態様で予約番組を視聴することができる。
【００１３】
この発明の上述の目的，その他の目的，特徴および利点は、図面を参照して行う以下の実施例の詳細な説明から一層明らかとなろう。
【発明を実施するための最良の形態】
【００１４】
図１を参照して、この実施例の移動通信システムは、複数の複合端末１００によって形成される。また、番組録画システムは、複数の複合端末１００，通信回線２００およびＴＶ番組録画サーバ３００によって形成される。さらに、地上波ディジタルＴＶ放送システムは、複数の複合端末１００，番組録画サーバ３００および放送局４００によって形成される。
【００１５】
図２によれば、複合端末１００は、移動通信回路１２および放送番組受信回路１４を含む。通信回路１２は移動通信システムを用いて通信を行い、放送番組受信回路１４は放送局４００によって送出された地上波ディジタルＴＶ放送波を受信する。
【００１６】
移動通信回路１２は、アンテナ１６，無線回路１８，信号処理回路２０，ＡＤ／ＤＡ変換器２２，アンプ２４，スピーカ２６，アンプ２８およびマイク３０によって構成される。また、放送番組受信回路１４は、アンテナ４２，チューナ４４，ＯＦＤＭ復調回路４６，デマルチプレクサ４８，ＭＰＥＧデコーダ５０，音声処理回路５２，アンプ５４，スピーカ５６，ＮＴＳＣエンコーダ５８，キャラクタジェネレータ６０およびモニタ６２を有する。
【００１７】
この実施例の複合端末１００は、電話機能および番組視聴機能を有する。電話機能は操作キー３４によるダイヤル操作によって起動され、番組視聴機能は操作キー３４による番組視聴操作によって起動される。
【００１８】
操作キー３４によってダイヤル操作が行われると、ＣＰＵ３２は、無線回路１８に発呼処理を命令する。この発呼処理によって相手方との接続が確立されると、通話可能となる。また、アンテナ１６を通して発呼信号を受信すると、無線回路１８からＣＰＵ３２に対して電話着信が通知される。ＣＰＵ３２は、呼び出し音信号の発生を音声処理回路５２に命令するとともに、呼び出しメッセージを表すキャラクタ信号の発生をキャラクタジェネレータ６０に命令する。これによって、呼び出し音がスピーカ５６から出力されるとともに、呼び出し文字がモニタ６２から出力される。呼び出し音および呼び出し文字の出力を受けて、操作キー３４によって着信操作が行われると、相手方との接続が確立され、通話可能状態となる。こうして、電話機能が実現される。
【００１９】
操作キー３４の操作によって番組視聴操作が行われかつ所望のチャネルが選択されると、ＣＰＵ３２は、放送番組受信回路１４を起動するとともに、所望のチャネルの選択をチューナ４４に命令する。チューナ４４は、アンテナ４２によって捉えられた地上波ディタルテレビ放送の高周波信号から所望のチャネルの高周波信号を抽出する。ＯＦＤＭ復調回路４６は、抽出された高周波信号をＴＳ（Transport Stream）に変換する。デマルチプレクサ４８は変換されたＴＳから音声パケットおよび映像パケットを抽出する。ＭＰＥＧデコーダ５０は、音声パケットをデコードして音声データを生成し、映像パケットをデコードして映像データを生成し、そして音声データおよび映像データを音声処理回路５２およびＮＴＳＣエンコーダ５８にそれぞれ与える。
【００２０】
音声データはアンプ５４によって音声信号に変換され、変換された音声信号はスピーカ５６に与えられる。この結果、所望のチャネルで放送される番組コンテンツの音声がスピーカ５６から出力される。また、映像データはＮＴＳＣエンコーダ５８によってコンポジット映像信号に変換され、変換されたコンポジット映像信号はモニタ６２に出力される。この結果、所望のチャネルで放送される番組コンテンツの映像がモニタ６２の画面に表示される。こうして、番組視聴機能が実現される。
【００２１】
操作キー３４による番組予約操作が行われると、ＣＰＵ３２はこの番組予約操作によって選択された番組コンテンツの予約情報（チャネル，開始時刻および終了時刻）を生成し、生成された予約情報をフラッシュメモリ３８に登録する。予約情報に含まれる開始時刻と時計４０によってカウントされる現在時刻とが一致すると、ＣＰＵ３２は番組視聴機能を起動する。
【００２２】
所望の視聴予約番組の放送開始より前から通話中である場合、この実施例の複合端末１００は録画予約機能を実行する。この録画予約機能について、図３（Ａ）〜図３（Ｄ）を用いて説明する。図３（Ａ）に示すタイムチャートは、所望の視聴予約番組の番組開始１分前から終了までを示す。図３（Ｂ）によれば、開始１分前から開始１０秒前までの期間を“期間Ａ”と定義し、開始１０秒前以降の期間を“期間Ｂ”と定義する。
【００２３】
図３（Ｃ）によれば、開始１分前になると、ＣＰＵ３２はお知らせアラーム出力すべき旨の通知をバイブレータ３８に発行し、これに従ってバイブレータ３８はお知らせアラーム出力用の振動処理を所定期間実行する。これによって、本人は、視聴予約番組の開始時刻１分前であることを知ることができる。
【００２４】
通知がバイブレータ３８のような振動の場合、通話相手は、視聴予約番組の開始時刻１分前であることが気づき難い。これによって、通話相手に不快感を与える事態が回避される。
【００２５】
期間Ａの間に通話が遮断されると、ＣＰＵ３２は番組視聴機能を起動する。なお、ここでいう遮断は、通話中に本人によって通話終了操作が行われたときや電波が届かずに通話が途切れ終話したときなどをいう。
【００２６】
図３（Ｄ）によれば、同様に開始１分前になると、ＣＰＵ３２はお知らせアラーム出力すべき旨の通知をバイブレータ３８に発行し、これに従ってバイブレータ３８はお知らせアラーム出力用の振動処理を所定期間実行する。
【００２７】
しかし、期間Ｂの先頭のタイミングまでに遮断操作が行われなければ、ＣＰＵ３２は、番組録画システムを用いて通信を行い、視聴予約番組の予約情報を通信回線２００を介してＴＶ番組録画サーバ３００に与える。放送局４００から送出された地上波ディジタルＴＶ放送波は、ＴＶ番組録画サーバ３００によっても受信される。ＴＶ番組録画サーバ３００は、ＣＰＵ３２によって与えられた予約情報に基づいて所望の番組コンテンツを録画する。録画が開始されると、ＴＶ番組録画サーバ３００は録画開始通知を通信回線２００を介してＣＰＵ３２に与える。
【００２８】
これに応じてＣＰＵ３２は、受付アラーム出力すべき旨の通知をバイブレータ３８に発行し、これに従ってバイブレータ３８は受付アラーム出力用の振動処理を所定期間実行する。これによって、所望の番組コンテンツの録画がＴＶ番組録画サーバ３００にて正常に受け付けられたことを通話中に確認することができる。
【００２９】
ＴＶ番組録画サーバ３００に所望の番組コンテンツの録画が完了すると、ＴＶ番組録画サーバ３００は通信回線２００を介してＣＰＵ３２に録画完了通知を与える。これに応じてＣＰＵ３２は、録画完了アラーム出力すべき旨の通知をバイブレータ３８に発行し、これに従ってバイブレータ３８は録画完了アラーム出力用の振動処理を所定期間実行する。こうして、録画予約機能が実現される。ＴＶ番組録画サーバ３００によって保存された番組は、例えば自宅のＰＣ（Personal Computer）によってダウンロードされ、再生される。
【００３０】
ＣＰＵ３２は、μＩＴＲＯＮのようなマルチタスクＯＳを搭載したマルチタスクＣＰＵであり、番組予約処理に関連して、図４に示す番組予約制御タスクを実行し、番組視聴制御処理に関連して、図５および図６に示す番組制御タスクを実行する。
【００３１】
図４を参照して、ステップＳ１で、番組予約操作が行われるまで待機する。番組予約操作が行われると、ステップＳ３で、フラッシュメモリ３８に番組コンテンツの予約情報を登録する。
【００３２】
図５を参照して、ステップＳ１１で、フラッシュメモリ３８に登録された番組情報に含まれる開始時刻の１分前と時計４０によってカウントされる現在時刻とが一致するか否か判断する。判別結果がＹＥＳであれば、ステップＳ１３で通話中であるか否か判別する。判別結果がＹＥＳであれば、ステップＳ１５に進み、判別結果がＮＯであれば、ステップＳ２１に進む。
【００３３】
ステップＳ１５では、お知らせアラーム出力すべき旨の通知をバイブレータ３８に発行し、これに応じてバイブレータ３８はお知らせアラーム用の振動処理を実行する。振動処理が完了すると、ステップＳ２７で、通話が遮断されたか否か判別する。判別結果がＹＥＳであればステップＳ２１に進み、判別結果がＮＯであればステップＳ１９に進む。
【００３４】
ステップＳ２１では、所望のチャネルを受信すべくチューナ４４にチューニング命令を発行する。ステップＳ２３では、チューニング命令に応じて調整された番組コンテンツをモニタ６２に出力する旨の通知を放送番組受信回路１４に与える。この結果、所望の番組コンテンツがモニタ６２に表示される。
【００３５】
ステップＳ１９では、フラッシュメモリ３８に登録された番組情報に含まれる開始時刻の１０秒前と時計４０によってカウントされる現在時刻とが一致するか否か判断する。判断結果がＹＥＳであればステップＳ２５に進み、判断結果がＮＯであればステップＳ１７に戻る。
【００３６】
ステップＳ２５では、録画依頼をＴＶ番組録画サーバ３００に発行する。ステップＳ２７では、ＴＶ番組録画サーバ３００によって録画開始通知が与えられるまで待機する。録画開始通知が与えられると、ステップＳ２９で、録画受付アラーム出力すべき旨の通知をバイブレータ３８に発行する。これに従ってバイブレータ３８は、録画受付アラーム出力用の振動処理を実行する。ステップＳ３１では、ＴＶ番組録画サーバ３００によって録画完了通知が与えられるまで待機する。録画完了通知が与えられると、ステップＳ３３で録画完了アラーム出力すべき旨の通知をバイブレータ３８に発行する。これに従ってバイブレータ３８は、録画完了アラーム出力用の振動処理を実行する。録画依頼は、例えば以下のようなデータを使うことで実現できる。一般的なものとして、番組を示し、一定の法則で作成された複数桁の数字列のデータや、具体的な月日，開始時刻，終了時刻およびチャネル（地域情報を含む）を示すデータを使うことで実現できる。また、特殊な例としては、サーバ３００で扱うコードを予め決定しておき、ＴＶ番組録画サーバ３００と復号端末１００との間で、そのコードを使うことで実現できる。つまり、この録画依頼は双方が認識できるコードを使うことで実現できる。
【００３７】
以上の説明からわかるように、放送番組は、放送番組受信回路１４によって受信される。また、所望の放送番組の視聴予約は、操作キー３４によって受け付けられる。移動通信回路１２は、通話接続操作が行われたとき所望の通話相手と接続する。操作キー３４によって受け付けた視聴予約番組の開始時刻に先立つ１分前に移動通信回路１２の接続が確立状態にあるとき、お知らせアラーム出力はＣＰＵ３２によって発生される。ＣＰＵ３２は、操作キー３４によって受け付けた視聴予約番組の開始時刻に先立つ１０秒前まで移動通信回路１２による接続が非確立状態にあるか否かを判別する。
【００３８】
判別結果が肯定的であれば、ＣＰＵ３２は、操作キー３４によって受け付けた視聴予約番組の受信を放送番組受信回路１４に要求し、この要求処理に関連して放送番組受信回路１４によって受信された視聴予約番組をリアルタイムで出力する。一方、判別結果が否定的であれば、ＣＰＵ３２は、操作キー３４によって受け付けた視聴予約番組の録画処理を実行する。
【００３９】
したがって、お知らせアラーム出力が発生したときに通話を終了すれば、視聴予約番組の受信処理およびリアルタイム出力処理が実行される。これに対して、お知らせアラーム出力の発生に拘わらず通話を継続すれば、視聴予約番組の録画処理が実行される。この結果、通話相手と本人との関係を考慮した態様で予約番組を視聴することができる。
【００４０】
なお、この実施例では、放送番組受信回路１４は地上波ディジタルテレビ放送を受信するが、これに限らず、アナログ放送を受信することも可能である。
【００４１】
また、この実施例では、所望の録画予約番組はＴＶ番組録画サーバ３００に録画されるが、これに限らず、複合端末１００に内蔵された記録領域（図示せず）に保存することも可能であり、放送局４００に含まれる記録領域（図示せず）に保存された録画予約番組を取得することも可能であり、他の複合端末１００に内蔵された記録領域（図示せず）に保存することも可能であり、家庭用ＨＤレコーダ（図示せず）に保存することも可能であり、そしてＰＣ（図示せず）に保存することも可能である。
【００４２】
さらに、この実施例では、通話相手に気づかせない手段としてバイブレータ３８を用いてのアラーム出力を行うが、これに限らず、モニタ６２に文字を表示する表示手段や図示しないダイオードによる発光アラーム出力による発光手段でも本人に通知することが可能である。
【図面の簡単な説明】
【００４３】
【図１】この発明の一実施例の構成を示すブロック図である。
【図２】図１実施例に適用される複合端末１００の構成を示すブロック図である。
【図３】（Ａ）は、視聴予約番組のタイミングチャート図であり、（Ｂ）は、図２実施例に適用される動作の一例を示す図解図であり、（Ｃ）は、図２実施例に適用される他の動作の一例を示す図解図であり、（Ｄ）は、図２実施例に適用されるその他の動作の一例を示す図解図である。
【図４】図２実施例に適用されるＣＰＵ３２の動作の一部を示すフロー図である。
【図５】図１実施例に適用されるＣＰＵ３２の他の動作の一部を示すフロー図である。
【図６】図１実施例に適用されるＣＰＵ３２のその他の動作の一部を示すフロー図である。
【符号の説明】
【００４４】
１２  …  移動通信回路
１４  …  放送番組受信回路
３２  …  ＣＰＵ
３４  …  操作キー
３６  …  フラッシュメモリ
１００  …  複合端末
【図１】
2007274290.tif 000003
【図２】
2007274290.tif 000004
【図３】
2007274290.tif 000005
【図４】
2007274290.tif 000006
【図５】
2007274290.tif 000007
【図６】
2007274290.tif 000008